(57)【要約】【課題】誰でも簡単に荷物を緊締できる緊締用バンドを提供することである。【解決手段】バンド１の一端側を略矩形状の枠体２の第１辺２ａに予め締結し、バンド１の他端側のみを枠体２内に通して、第１辺２ａと直交する第２辺２ｂの外側に一体に形成した挟止脚４に巻き掛け、その折り返したバンド１の他端側を一方向へ引っ張るのみで、バンド１の一端側と他端側を、第２辺２ｂと第３辺２ｃ間の中狭まりの間隔で、それぞれ第１辺２ａ側と第４辺２ｄ側とに自然に寄せることにより、誰でも簡単に荷物を緊締できるようにした。【選択図】  図２
2005041507.tif 000002
【特許請求の範囲】
【請求項１】
バンドの一端側を略矩形状の枠体の第１辺に締結し、この第１辺と直交する第２辺の外側に、屈撓性を有する連結部を介して１本の挟止脚を一体に形成し、この第２辺と対向する第３辺との内側面間の間隔を辺長方向で中狭まりとし、前記バンドの他端側を前記枠体内に下側から通して、前記第３辺の上面側に倒した挟止脚に巻き掛けて折り返し、この折り返したバンドの他端側を、前記第１辺に対向する第４辺と挟止脚との間で挟持して緊締するようにした緊締用バンド。
【請求項２】
前記第３辺の上面に、前記倒されてバンドの他端側が巻き掛けられる挟止脚の先端部を係止する突起を設けた請求項１に記載の緊締用バンド。
【請求項３】
前記第２辺と第３辺の上面に、前記バンドの一端側が締結される第１辺側に寄せて、指止め用の突起を設けた請求項１または２に記載の緊締用バンド。
【発明の詳細な説明】
【０００１】
【発明の属する技術分野】
この発明は、新聞、雑誌、箱、木材束等の荷物を緊締する緊締用バンドに関するものである。
【０００２】
【従来の技術】
新聞、雑誌、箱、木材束等の荷物を緊締する緊締具としては、矩形状の枠体の一辺の外側に、屈撓性を有する連結部を介して２本の挟止脚を並べて一体に形成したものがよく用いられている（例えば、特許文献１参照。）。
【０００３】
この緊締具は、荷物を緊締するバンドの両端を枠体の下側から通して、バンドの各端部をそれぞれ枠体の上面側に倒した各挟止脚に巻き掛けて折り返し、この折り返したバンドの各端部を、挟止脚と挟止脚を形成した辺に直交する各二辺との間で挟持して緊締するように用いられる。
【０００４】
【特許文献１】
実開平１−１２２４６０号公報（第２頁、第６−９図）
【０００５】
【発明が解決しようとする課題】
上述した従来の緊締具は、荷物を緊締する際に、バンドの両端をそれぞれ緊締具の枠体に通して、各挟止脚に巻き掛けて折り返し、この折り返したバンドの各端部を緊締するので、バンドの各端部を片手ずつで互いに反対方向へ強い力で引っ張って緊締する必要がある。このため、力が弱い人には使い勝手が悪い問題がある。
【０００６】
そこで、この発明の課題は、誰でも簡単に荷物を緊締できる緊締用バンドを提供することである。
【０００７】
【課題を解決するための手段】
上記の課題を解決するために、この発明の緊締用バンドは、バンドの一端側を略矩形状の枠体の第１辺に締結し、この第１辺と直交する第２辺の外側に、屈撓性を有する連結部を介して１本の挟止脚を一体に形成し、この第２辺と対向する第３辺との内側面間の間隔を辺長方向で中狭まりとし、前記バンドの他端側を前記枠体内に下側から通して、前記第３辺の上面側に倒した挟止脚に巻き掛けて折り返し、この折り返したバンドの他端側を、前記第１辺に対向する第４辺と挟止脚との間で挟持して緊締する構成を採用した。
【０００８】
すなわち、バンドの一端側を枠体の第１辺に予め締結し、枠体内に通して挟止脚に巻き掛けたバンドの他端側を折り返して、一方向へ引っ張るのみで、バンドの一端側と他端側の各幅端を、第２辺と第３辺間の中狭まりの間隔で案内して、それぞれ第１辺側と第４辺側とに自然に寄せ、荷物を簡単に緊締できるようにした。つまり、この緊締用バンドは、折り返したバンドの他端側を片手または両手で一方向へ引っ張ればよく、自由な姿勢で緊締作業をすることができるので、力の弱い人でも足や膝等で新聞等の荷物を押さえ、強く緊締することができる。
【０００９】
前記第３辺の上面に、前記倒されてバンドの他端側が巻き掛けられる挟止脚の先端部を係止する突起を設けることにより、挟止脚の逃げによるバンドの他端側の緩み止めをすることができる。
【００１０】
前記第２辺と第３辺の上面に、前記バンドの一端側が締結される第１辺側に寄せて、指止め用の突起を設けることにより、一方の手でバンドの他端側を引っ張る際に、枠体をもう一方の手の指で滑らないようにしっかりと保持することができる。
【００１１】
【発明の実施の形態】
以下、図１乃至図４に基づき、この発明の実施形態を説明する。この緊締用バンドは、図１に示すように、バンド１の一端側を略矩形状の枠体２の第１辺２ａに締結し、この第１辺２ａと直交する第２辺２ｂの外側に、屈撓性を有する連結部３を介して１本の挟止脚４を一体に形成し、この第２辺２ｂと対向する第３辺２ｃの上面に、挟止脚４の先端部を係止する突起５を設けるとともに、第２辺２ｂと第３辺２ｃの上面に、バンド１の一端側が締結される第１辺２ａ側に寄せて、三日月状の突起６を設けたものである。バンド１はポリプロピレン樹脂で形成されており、バンド１の一端側は、折り返し部を熱圧着することにより、枠体２の第１辺２ａに締結されている。挟止脚４を一体に形成した枠体２もポリプロピレン樹脂で形成されている。
【００１２】
また、前記互いに対向する第２辺と第３辺の内側面７は円弧状の中高形状とされて、各内側面７間の間隔が辺長方向で中狭まりとなっており、第１辺２ａに締結されたバンド１の一端側と、第４辺２ｄに挟止脚４との間で挟持されるバンド１の他端側が、各幅端をこれらの対向する内側面７に案内されて、それぞれ第１辺２ａ側と第４辺２ｄ側とに自然に寄せられるようになっている。
【００１３】
図２（ａ）、（ｂ）に示すように、前記バンド１の他端側は、枠体２内に下側から通されて、枠体２の上面側に倒された挟止脚４に巻き掛けられ、その折り返し部が緊締されて、第１辺２ａに対向する第４辺２ｄと挟止脚４との間で挟持されるようになっている。このバンド１の他端側が巻き掛けられた挟止脚４の先端部は突起５に係止され、緊締されたバンド１の他端側が緩み止めされる。なお、挟止脚４の両側面には、巻き掛けられるバンド１を幅方向にずれ止めする凹部４ａが設けられている。
【００１４】
図３は、前記枠体２を一方の手で保持して、もう一方の手でバンド１の他端側を引っ張って緊締する作業の例を示す。この緊締作業では、枠体２を保持する手の親指と人差し指が、前記第２辺２ｂと第３辺２ｃの上面に設けた三日月状の各突起６で滑り止めされるので、バンド１の他端側を強く引っ張って緊締することができる。
【００１５】
図４は、上述した緊締用バンドを用いて古新聞Ａを緊締した状態を示す。この緊締用バンドは、折り返したバンド１の他端側を片手または両手で一方向へ引っ張ればよく、自由な姿勢で緊締作業をすることができるので、力の弱い人でも足や膝等で古新聞Ａを押さえ、強く緊締することができる。
【００１６】
上述した実施形態では、バンドと枠体をいずれもポリプロピレン樹脂で形成したが、他の樹脂や紙等で形成しても良い。また、第２辺と第３辺の内側面間の中狭まり形状は、円弧状のものに限定されることはなく、例えば、辺中央部から両側へ直線的に拡がるテーパ状のものとすることもできる。
【００１７】
【発明の効果】
以上のように、この発明の緊締用バンドは、バンドの一端側を枠体の第１辺に予め締結し、枠体内に通して挟止脚に巻き掛けたバンドの他端側を折り返して、一方向へ引っ張るのみで、バンドの一端側と他端側を、第２辺と第３辺間の中狭まりの間隔で、それぞれ第１辺側と第４辺側とに自然に寄せるようにしたので、誰でも簡単に荷物を強く緊締することができる。
【００１８】
また、前記第３辺の上面に、倒されてバンドの他端側が巻き掛けられる挟止脚の先端部を係止する突起を設けることにより、挟止脚の逃げによるバンドの他端側の緩み止めをすることができる。
【００１９】
さらに、前記第２辺と第３辺の上面に、バンドの一端側が締結される第１辺側に寄せて、指止め用の突起を設けることにより、一方の手でバンドの他端側を引っ張る際に、枠体をもう一方の手の指で滑らないようにしっかりと保持することができる。
【図面の簡単な説明】
【図１】緊締用バンドの実施形態を示す一部省略平面図
【図２】ａは図１の緊締用バンドを緊締した状態を示す平面図、ｂはａの縦断面図
【図３】図１の緊締用バンドを緊締する作業の例を示す概観斜視図
【図４】図１の緊締用バンドで古新聞を緊締した状態を示す概観斜視図
【符号の説明】
１  バンド
２  枠体
２ａ、２ｂ、２ｃ、２ｄ  辺
３  連結部
４  挟止脚
４ａ  凹部
５、６  突起
７  内側面
【図１】
2005041507.tif 000003
【図２】
2005041507.tif 000004
【図３】
2005041507.tif 000005
【図４】
2005041507.tif 000006